(57)【要約】      （修正有）【課題】通信端末と機器との通信設定を簡易に行うことができる通信装置、通信システム、通信設備装置、設備システム、通信方法及びプログラムを提供する。【解決手段】設備システム１において、通信装置１１０は、第１通信部１１２を備え、設備機器（照明装置１０）に用いられる。また、第１通信部１１２は、第１条件が成立したとき、所定の周波数内における複数の周波数チャンネルの中で、第１設定コマンドを受信する周波数チャンネルを所定時間毎に切り替え、切り替えられた周波数チャンネルで第１信号を受信する受信状態となり、第２条件が成立したとき、複数の周波数チャンネルの中で切り替えられる周波数チャンネルを所定の周波数チャンネルに固定し、固定した所定の周波数チャンネルで信号を受信する受信状態になる。【選択図】図２
2020078015.tif 000002
【特許請求の範囲】
【請求項１】
第１通信部を備え、設備機器に用いられる通信装置であって、
前記第１通信部は、
第１条件が成立したとき、所定の周波数内における複数の周波数チャンネルの中で周波数チャンネルを所定時間毎に切り替え、切り替えられた周波数チャンネルで第１信号を受信する受信状態となり、
第２条件が成立したとき、前記複数の周波数チャンネルの中で切り替えられる周波数チャンネルを所定の周波数チャンネルに固定し、固定した前記所定の周波数チャンネルで信号を受信する受信状態になる
通信装置。
【請求項２】
前記第１条件は、停止状態の前記通信装置が起動状態になることを含む
請求項１に記載の通信装置。
【請求項３】
前記第１条件は、前記通信装置と機器との通信が途絶えてから規定時間の経過、および、前記第２条件の成立後に停止した前記通信装置が起動状態になることの少なくとも一方を含む
請求項１または２に記載の通信装置。
【請求項４】
前記第２条件は、前記複数の周波数チャンネルのうちの周波数チャンネルの第２信号を受信し、受信した当該第２信号の前記周波数チャンネルを所定の周波数チャンネルとして一時的に固定することを含む
請求項１〜３のいずれか１項に記載の通信装置。
【請求項５】
前記第２条件は、前記第１信号に所定の識別情報を有することを含む
請求項４に記載の通信装置。
【請求項６】
前記第２条件は、前記第１通信部とは異なる第２通信部により、前記複数の周波数チャンネルのうちの周波数チャンネルに固定するための第２信号を受信することを含む
請求項１〜５のいずれか１項に記載の通信装置。
【請求項７】
前記通信装置は、前記第２条件が成立する前に、一定時間毎、および、前記複数の周波数チャンネルの中で受信する前記第１信号の周波数チャンネルを切り替える切替周期毎の少なくとも一方で、前記第１信号を受信する際の前記第１通信部の受信強度の閾値を低下させる
請求項１〜６のいずれか１項に記載の通信装置。
【請求項８】
前記複数の周波数チャンネルには、
所定の周波数内における複数の周波数チャンネルの並び順のうち、１以上の周波数チャンネルで構成された第１周波数チャンネルグループと、
前記第１周波数チャンネルグループを構成する周波数チャンネル以外の周波数チャンネルであり、１以上の周波数チャンネルで構成される第２周波数チャンネルグループとが設定され、
前記第１通信部は、
前記第１条件が成立したとき、前記第１周波数チャンネルグループの中で周波数チャンネルを所定時間毎に切り替え、切り替えられた周波数チャンネルで第１信号を受信する受信状態となり、
前記第１条件および前記第２条件と異なる第３条件が成立したとき、前記第１周波数チャンネルグループから第２周波数チャンネルグループに切り替えて前記第１信号を受信する、または、前記第１周波数チャンネルグループおよび前記第２周波数チャンネルグループの前記第１信号を受信する受信状態になる
請求項１〜７のいずれか１項に記載の通信装置。
【請求項９】
さらに、不揮発性の記憶部を備え、
前記記憶部は、前記受信状態に設定された前記所定の周波数チャンネルを示す情報を記憶する
請求項１〜８のいずれか１項に記載の通信装置。
【請求項１０】
請求項１〜９のいずれか１項に記載の通信装置と、
前記通信装置と通信する通信端末とを備える
通信システム。
【請求項１１】
請求項１〜９のいずれか１項に記載の通信装置と、
設備機器とを備える
通信設備装置。
【請求項１２】
請求項１１に記載の通信設備装置と、
前記通信装置と通信する通信端末とを備える
設備システム。
【請求項１３】
第１条件が成立したとき、所定の周波数内における複数の周波数チャンネルの中で周波数チャンネルを所定時間毎に切り替え、切り替えられた周波数チャンネルで第１信号を受信する受信状態になることと、
第２条件が成立したとき、前記複数の周波数チャンネルの中で切り替えられる周波数チャンネルを所定の周波数チャンネルに固定し、固定した所定の周波数チャンネルで信号を受信する受信状態になることとを含む
通信方法。
【請求項１４】
請求項１３に記載の通信方法をコンピュータに実行させる
プログラム。
【発明の詳細な説明】
【技術分野】
【０００１】
本開示は、通信装置、通信システム、通信設備装置、設備システム、通信方法、および、プログラムに関する。
【背景技術】
【０００２】
特許文献１の照明ユニットは、リモートコントローラによって、無線信号を操作信号として受信することにより操作され、ペアリング指示信号を受信した場合に外部機器との間でペアリング処理を実行する。
【先行技術文献】
【特許文献】
【０００３】
【特許文献１】国際公開第２０１３／１２９５４４号
【発明の概要】
【発明が解決しようとする課題】
【０００４】
例えば照明ユニットと外部機器とが通信する環境の中で、これらと異なる他の機器が存在する場合では、照明ユニットまたは外部機器が他の機器の無線信号を受信してしまうといった無線通信環境の悪化が懸念される。この場合では、照明ユニットと外部機器との間で無線通信によるペアリング処理を実行し難い。
【０００５】
そこで、本開示は、通信装置と機器との通信設定を簡易に行うことができる通信装置、通信システム、通信設備装置、設備システム、通信方法、および、プログラムを提供することを目的とする。
【課題を解決するための手段】
【０００６】
上記目的を達成するため、本開示の一態様に係る通信装置は、第１通信部を備え、設備機器に用いられる通信装置であって、前記第１通信部は、第１条件が成立したとき、所定の周波数内における複数の周波数チャンネルの中で周波数チャンネルを所定時間毎に切り替え、切り替えられた周波数チャンネルで第１信号を受信する受信状態となり、第２条件が成立したとき、前記複数の周波数チャンネルの中で切り替えられる周波数チャンネルを所定の周波数チャンネルに固定し、固定した前記所定の周波数チャンネルで信号を受信する受信状態になる。
【０００７】
また、上記目的を達成するため、本開示の一態様に係る通信システムは、通信装置と、前記通信装置と通信する通信端末とを備える。
【０００８】
また、上記目的を達成するため、本開示の一態様に係る通信設備装置は、通信装置と、設備機器とを備える。
【０００９】
また、上記目的を達成するため、本開示の一態様に係る設備システムは、通信設備装置と、前記通信装置と通信する通信端末とを備える。
【００１０】
また、上記目的を達成するため、本開示の一態様に係る通信方法は、第１条件が成立したとき、所定の周波数内における複数の周波数チャンネルの中で周波数チャンネルを所定時間毎に切り替え、切り替えられた周波数チャンネルで第１信号を受信する受信状態になることと、第２条件が成立したとき、前記複数の周波数チャンネルの中で切り替えられる周波数チャンネルを所定の周波数チャンネルに固定し、固定した所定の周波数チャンネルで信号を受信する受信状態になることとを含む。
【００１１】
また、上記目的を達成するため、本開示の一態様に係るプログラムは、通信方法をコンピュータに実行させる。
【発明の効果】
【００１２】
本開示に係る通信装置等によれば、通信装置と機器との通信設定を簡易に行うことができる。
【図面の簡単な説明】
【００１３】
【図１】図１は、実施の形態に係る設備システムを例示する模式図である。
【図２】図２は、実施の形態に係る設備システムを例示するブロック図である。
【図３】図３は、実施の形態に係る設備システムの動作を例示するシーケンス図である。
【図４】図４は、実施の形態に係る照明装置の動作を例示するフロー図である。
【図５】図５は、変形例に係る設備システムを例示する模式図である。
【発明を実施するための形態】
【００１４】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置および接続形態、ステップ、ステップの順序などは、一例であり、本開示を限定する趣旨ではない。よって、以下の実施の形態における構成要素のうち、本開示の最上位概念を示す独立請求項に記載されていない構成要素については、任意の構成要素として説明される。
【００１５】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略または簡略化する。
【００１６】
まず、本実施の形態に係る通信装置、通信システム、通信設備装置、設備システム、通信方法、および、プログラムについて説明する。
【００１７】
（実施の形態）
［構成］
図１は、実施の形態に係る設備システム１を例示する模式図である。
【００１８】
図１に示すように、設備システム１は、通信端末２０を操作することで１以上の照明装置１０とアクセスポイント３０とのペアリング設定を行ったり、操作部４０を操作することで１以上の照明装置１０の点灯、消灯等の制御を行ったりする。ここで、１以上の照明装置１０とアクセスポイント３０とのペアリング設定とは、１以上の照明装置１０とアクセスポイント３０とが互いのアドレス情報（例えばＭＡＣ（Ｍｅｄｉａ  Ａｃｃｅｓｓ  Ｃｏｎｔｒｏｌ）アドレス）を交換することをいう。１以上の照明装置１０とアクセスポイント３０とのペアリング設定が完了すると、１以上の照明装置１０とアクセスポイント３０が相互に無線通信が可能となる。なお、１以上の照明装置１０と通信端末２０とが相互に無線通信可能であってもよい。
【００１９】
設備システム１は、１以上の照明装置１０と、通信端末２０と、アクセスポイント３０とを備える。なお、特に言及する場合を除き、１以上の照明装置１０のうちの１つの照明装置１０について説明する。
【００２０】
照明装置１０は、壁、天井等の造営材に設置され、周囲を照明する。照明装置１０は、操作部４０の操作によって点灯、消灯等の制御が行われる。照明装置１０は、メインコントローラ、壁スイッチ等の操作部４０と有線（例えば２線式有線。）で接続されており、壁スイッチへの操作に基づく制御コマンドを取得するメインコントローラによって、当該２線式有線を介して点灯および消灯の切り替え制御が行われる。
【００２１】
また、照明装置１０は、通信装置１１０を介して、他の照明装置１０およびアクセスポイント３０と無線通信可能に接続される。なお、照明装置１０は、通信装置１１０を介して、通信端末２０と無線通信可能に接続されてもよい。この場合、照明装置１０は、通信端末２０によって点灯および消灯の切り替え制御が行われてもよい。
【００２２】
本実施の形態では、通信設備装置の一例として照明装置１０を用いて説明する。通信設備装置は、照明装置１０の他に、例えば、エアコン等の送風機等であってもよい。
【００２３】
照明装置１０、通信端末２０およびアクセスポイント３０の構成について詳細に説明する。図２は、実施の形態に係る設備システム１を例示するブロック図である。
【００２４】
図２に示すように、照明装置１０は、通信装置１１０と、発光モジュール１０１と、照明制御部１０２と、電源部１０３とを有する。例えば、発光モジュール１０１、照明制御部１０２、および、電源部１０３が設備機器に相当する。
【００２５】
通信装置１１０は、照明装置１０に搭載される通信モジュールであり、照明装置１０と異なる他の照明装置１０、アクセスポイント３０等と無線通信することが可能である。通信装置１１０は、照明装置１０に搭載されているが、照明装置１０とは別体でもよく、ケーブル等を介して単に照明装置１０に接続されているだけでもよい。アクセスポイント３０と通信装置１１０とは通信システムを構成してもよい。
【００２６】
通信装置１１０は、処理部１１１と、第１通信部１１２と、記憶部１１３とを有する。
【００２７】
処理部１１１は、第１条件が成立したときに、所定の周波数内における複数の周波数チャンネルの中で周波数チャンネルを所定時間毎に切り替え（以下、切替え動作ということがある。）、切り替えられた周波数チャンネルで第１設定コマンドを受信するように、第２第１通信部１１２を受信状態にする。
【００２８】
ここで、第１条件は、停止状態の通信装置１１０が起動状態になること、つまり、通信装置１１０の電源がＯＦＦとなっている停止状態から通信装置１１０の電源がＯＮになる起動状態を含む。また、第１条件は、通信装置１１０とアクセスポイント３０との通信が途絶えてから規定時間の経過、および、後述する第２条件の成立後に停止状態となった通信装置１１０が起動状態になることの少なくとも一方を含む。
【００２９】
つまり、通信装置１１０が停止状態から起動状態になると、処理部１１１は、複数の周波数チャンネルの中で周波数チャンネルを所定時間毎に、自動的に切り替える（つまり、周波数チャンネルを周期的に切り替えることである。以下、切替周期ということがある。）。通信装置１１０は、切り替えられた周波数チャンネルで第１設定コマンドを受信する受信状態になる。なお、第１条件は、通信装置１１０が停止状態から起動状態になる場合だけでなく、通信端末２０の操作によって、周波数チャンネルを所定時間毎に切り替える動作を開始してもよい。
【００３０】
ここで、第１設定コマンドは、照明装置１０とアクセスポイント３０とをペアリング設定モードに移行するための情報と、照明装置１０を特定する識別情報とを含む。第１設定コマンドは、照明装置１０によって周囲を照明させるための点灯信号に基づく情報を含まない。第１設定コマンドは、第１信号の一例である。また、識別情報は、照明装置１０を特定するための照明装置１０が保有するユニークワードであり、照明装置１０が有する図示しない記憶装置に格納される。
【００３１】
ユーザが通信端末２０を操作することによって照明装置１０が第１設定コマンドを受信すると、切替え動作している処理部１１１は、受信した第１設定コマンドがペアリング設定モードに移行するための設定コマンドであるかどうかを判定する。なお、本実施の形態では、第１設定コマンドは、照明装置１０とアクセスポイント３０とを直接的にペアリング設定するコマンドではないが、これらを直接的にペアリング設定するためのコマンドであってもよい。受信した第１設定コマンドがペアリング設定モードに移行するための設定コマンドであれば、処理部１１１は、第１設定コマンドに含まれる識別情報が、照明装置１０の保有する識別情報と一致するかどうかを判定する。受信した第１設定コマンドがペアリング設定モードに移行するための設定コマンドでなければ、処理部１１１は、受信した他の装置からの設定コマンドを破棄し、切替え動作を続ける。ペアリング設定モードとは、照明装置１０とアクセスポイント３０とを直接的にペアリング設定する前の準備状態である。
【００３２】
第１設定コマンドがペアリング設定モードに移行するためのコマンドであり、かつ、この識別情報が照明装置１０の保有する識別情報と一致する場合、第１条件と異なる第２条件が成立する。第２条件が成立した場合、処理部１１１は、第２第１通信部１１２に対して、第１設定コマンドを受信した受信時の所定の周波数チャンネルに一時的に固定（例えば、仮固定ともいう。）した受信状態にする。このように第２条件が成立した場合、照明装置１０は、所定の周波数内における複数の周波数チャンネルの中で周波数チャンネルを所定時間毎に切り替える状態（以下、周波数チャンネルの切替状態ということがある。）から、仮固定された所定の周波数チャンネルで信号を受信する受信状態になる。より具体的には、第１通信部１１２は、第２条件が成立したとき、複数の周波数チャンネルの中で切り替えられる周波数チャンネルを所定の周波数チャンネルに仮固定し、仮固定された所定の周波数チャンネルで信号を受信する受信状態になる。
【００３３】
ここで、第２条件は、複数の周波数チャンネルのうちの周波数チャンネルの第２設定コマンドを受信し、受信した第２設定コマンドの周波数チャンネルを所定の周波数チャンネルとして仮固定することを含む。また、第２条件は、第１設定コマンドに所定の識別情報を有することを含む。
【００３４】
第１設定コマンドに含まれる識別情報が、照明装置１０の保有する識別情報と一致していない場合、受信した第１設定コマンドはペアリング設定モードへの移行以外の他の照明装置からのコマンドである。この場合、処理部１１１は、ペアリング設定モードへの移行を行わずに、受信した他の装置からのコマンドを破棄し、切替え動作を続ける。
【００３５】
また、処理部１１１は、仮固定の受信状態になると、機器情報の信号をアクセスポイント３０に送信する。機器情報は、例えば、照明装置１０が保有する識別情報を含む。
【００３６】
周波数チャンネルの切替状態となってから一定時間が経過したことを、処理部１１１が判定した場合、第１通信部１１２は受信強度の閾値を所定値だけ低下させる。具体的には、第１通信部１１２は、第２条件が成立する前に、一定時間毎、または、複数の周波数チャンネルの中で受信する第１設定コマンドの周波数チャンネルを切り替える切替周期毎に、第１設定コマンドの受信強度の閾値を所定値だけ低下させる。これにより、第１通信部１１２の受信強度の閾値を低下することで、所望のアクセスポイント３０以外からの設定コマンドを受信してしまうことを抑制することもできる。このように、処理部１１１は、規定時間が経過する度に、第１通信部１１２の受信強度の閾値を段階的に低下（漸次低下）させる。
【００３７】
１以上の照明装置１０とアクセスポイント３０とをペアリング設定する場合において受信状態となった際には、アクセスポイント３０が所定時間毎に１以上の照明装置１０に対して信号を送信し、１以上の照明装置１０とアクセスポイント３０とが通信している状態が連続的または断続的に持続される。照明装置１０とアクセスポイント３０とがペアリング設定されない場合、アクセスポイント３０とペアリング設定されなかった照明装置１０との通信は途絶える。ペアリング設定されなかった照明装置１０とアクセスポイント３０との通信が途絶えてから規定時間が経過する前に、処理部１１１は、第２設定コマンドを受信したかどうかを判定する。規定時間が経過する前に、第２設定コマンドを受信した場合、照明装置１０とアクセスポイント３０とがペアリング設定されたことを意味する。このため、処理部１１１は、受信状態に設定した所定の周波数チャンネルを示す情報を記憶部１１３に記憶させる。所定の周波数チャンネルを示す情報が記憶部１１３に記憶され、記憶された所定の周波数チャンネルに照明装置１０とアクセスポイント３０とが固定（例えば、本固定ともいう。）される。
【００３８】
ここで、第２設定コマンドは、照明装置１０とアクセスポイント３０とを直接的にペアリング設定するためのコマンドであり、１以上の照明装置１０から受信した照明装置１０のリストを示す情報（後述する）と、１以上の照明装置１０のそれぞれに対応したペアリング設定の有無を示す情報とを含む。第２設定コマンドは、第２信号の一例である。
【００３９】
第１通信部１１２は、アンテナ等の無線モジュールにより構成される。第１通信部１１２は、アクセスポイント３０、他の照明装置１０等と通信可能である。第１通信部１１２は、第１設定コマンドおよび第２設定コマンドをアクセスポイント３０から受信したり、機器情報の信号をアクセスポイント３０に送信したりする。第１通信部１１２は、赤外線等の光無線通信、ＮＦＣ（Ｎｅａｒ  Ｆｉｅｌｄ  Ｃｏｍｍｕｎｉｃａｔｉｏｎ）等によってアクセスポイント３０、他の照明装置１０等と無線通信する。なお、第１通信部１１２は、通信端末２０と直接無線通信してもよい。
【００４０】
第１通信部１１２は、アクセスポイント３０と無線通信する方式として、９２０ＭＨｚ帯または２．４ＧＨｚ帯等の周波数を利用した特定小電力無線、Ｚｉｇｂｅｅ（登録商標）、Ｂｌｕｅｔｏｏｔｈ（登録商標）、Ｗｉ−Ｆｉ（登録商標）等の方式が用いられる。なお、無線通信可能な範囲内の１以上の照明装置１０の間でメッシュネットワークを形成し、このメッシュネットワークを経由して通信端末２０と無線通信してもよい。
【００４１】
照明装置１０の記憶部１１３は、不揮発性半導体メモリ等であり、受信状態に設定した所定の周波数チャンネルを示す情報を記憶する。
【００４２】
照明装置１０の発光モジュール１０１は、例えば、白色光、赤色光、緑色光または青色光を発する複数の発光ダイオードを含むモジュールである。発光モジュール１０１は、照明制御部１０２からの点灯指示を受けることで、調光制御および調色制御される。
【００４３】
照明装置１０の照明制御部１０２は、通信装置１１０、発光モジュール１０１および電源部１０３と電気的に接続される。照明制御部１０２は、例えば発光モジュール１０１を調光制御する調光回路、および、発光モジュール１０１を調色制御する調色回路を制御することで、発光モジュール１０１に出射させる光を調光制御および調色制御することができる。
【００４４】
照明制御部１０２は、例えば、ＣＰＵ（Ｃｅｎｔｒａｌ  Ｐｒｏｃｅｓｓｉｎｇ  Ｕｎｉｔ）を備えたマイクロコンピュータを用いて構成することができる。照明制御部１０２は、例えばメモリ部に記憶させたプログラムを実行させることで、所定の照明制御動作を行うことができる。メモリ部は、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などの不揮発性半導体メモリを用いて構成することができる。
【００４５】
照明装置１０の電源部１０３は、商用電源から供給される交流電流を、整流、平滑および降圧等して所定レベルの直流電流に変換し、照明制御部１０２の制御によって、発光モジュール１０１の点灯信号に応じた当該直流電流を発光モジュール１０１に供給する。
【００４６】
設備システム１の通信端末２０は、１以上の照明装置１０とアクセスポイント３０とをペアリング設定を行うための設定器として用いられる。通信端末２０は、例えば、タブレット端末、スマートフォン等であるが、ペアリング設定を行うための専用端末であってもよい。通信端末２０は、例えば、液晶モニター等の操作表示部１２１と兼用されるタッチパネルである操作表示部１２１を有する。ユーザは、操作表示部１２１を介して所定の操作を行うことで、ペアリング設定する対象となる１以上の照明装置１０とアクセスポイント３０とをペアリング設定する。
【００４７】
アクセスポイント３０は、１以上の照明装置１０と通信端末２０とを無線通信可能に接続するルータ、ハブ等の中継器である。アクセスポイント３０は、ＡＰ通信部１３２と、調光センサ１３１とを有する。
【００４８】
ＡＰ通信部１３２は、ペアリング設定モードへの移行中に、１以上の照明装置１０から機器情報を受信すると、受信した照明装置１０のリストを生成し、照明装置１０のリストを示す情報を通信端末２０に送信する。さらに、ＡＰ通信部１３２は、第１設定コマンドおよび第２設定コマンドを通信装置１１０から受信したり、第１設定コマンドおよび第２設定コマンドを１以上の照明装置１０に送信したりする。ＡＰ通信部１３２は、無線通信部の一例である。
【００４９】
また、調光センサ１３１は周囲の照度を検知する照度センサである。調光センサ１３１は、ペアリング設定後に、１以上の照明装置１０の照明制御部１０２が発光モジュール１０１の調光を制御するための情報（例えば照度を示す照度情報）を、ＡＰ通信部１３２を介して１以上の照明装置１０に送信する。１以上の照明装置１０は、この情報に基づいて所定の点灯を行う。
【００５０】
［動作］
通信システムまたは設備システム１の動作について説明する。具体的には、ユーザが照明装置１０の起動を開始させ、通信端末２０を用いて照明装置１０とアクセスポイント３０とのペアリングを設定する動作を説明する。通信システムまたは設備システム１では１以上の照明装置１０が存在するが、ここでは、主に１つの照明装置１０についての説明をする。なお、複数の照明装置１０についても同様の内容となる。
【００５１】
図３は、実施の形態に係る設備システム１の動作を例示するシーケンス図である。
【００５２】
図３に示すように、まず、ユーザが通信装置１１０を搭載した照明装置１０の電源をＯＮにすることにより、照明装置１０は、停止状態から起動状態になる。このとき、照明装置１０では第１条件が成立する（Ｓ１１）。
【００５３】
次に、照明装置１０は、第１条件が成立すると、周波数チャンネルの切替状態となり、所定の周波数チャンネルで第１設定コマンドを受信する受信状態になる。つまり、照明装置１０では、所定時間毎に、複数の周波数チャンネルの中で周波数チャンネルが切り替えられ、切り替えられた周波数チャンネルで第１設定コマンドを受信する受信状態になる（Ｓ１２）。
【００５４】
例えば、照明装置１０の受信できる所定の周波数が９２０ＭＨｚ帯である場合、９２０ＭＨｚ帯の中で、１ｃｈを９２３.８ＭＨｚ、２ｃｈを９２４ＭＨｚ・・・１０ｃｈを９２５．６ＭＨｚ等のように複数の周波数チャンネルが割り当てられる。照明装置１０に搭載される通信装置１１０の処理部１１１が奇数番号の周波数チャンネルの中で周波数チャンネルを切り替える場合、処理部１１１は、１ｃｈで第１設定コマンドを所定時間受信可能な状態となった後に、１ｃｈから３ｃｈに切り替えて、３ｃｈで第１設定コマンドを所定時間受信可能な状態になる。そして、処理部１１１は、３ｃｈから５ｃｈに切り替え、５ｃｈから７ｃｈに切り替え、７ｃｈから９ｃｈに切り替え、９ｃｈから１ｃｈに切り替えるといったことを、所定時間毎に周期的に繰り返す。
【００５５】
次に、ステップＳ１２のように照明装置１０が周波数チャンネルの切替状態になり、所定の周期で第１設定コマンドの受信状態になると、ユーザが通信端末２０を操作し、照明装置１０とアクセスポイント３０とをペアリング設定モードに移行させる。ユーザが通信端末２０によりペアリング設定モードへの移行の操作を行うことで、通信端末２０は、第１設定コマンドをアクセスポイント３０に送信する（Ｓ３１ａ）。
【００５６】
アクセスポイント３０は、通信端末２０から第１設定コマンドを受信すると、第１設定コマンドを１以上の照明装置１０にブロードキャストする（Ｓ３１ｂ）。なお、ブロードキャストではなく、マルチキャストでもよく、ユニキャストでもよい。
【００５７】
次に、各々の照明装置１０が第１設定コマンドを受信すると、切替え動作している処理部１１１は、受信した第１設定コマンドがペアリング設定モードに移行させるための設定コマンドであるかどうかを判定する（Ｓ１３）。受信した第１設定コマンドがペアリング設定モードに移行するための設定コマンドでない場合（Ｓ１３でＮＯ）、ステップＳ１２に戻り、処理部１１１は、同様の処理を行う。
【００５８】
受信した第１設定コマンドがペアリング設定モードに移行するための設定コマンドである場合（Ｓ１３でＹＥＳ）、処理部１１１は、第１設定コマンドに含まれる識別情報が、照明装置１０の保有する識別情報と一致するかどうかを判定する（Ｓ１４）。
【００５９】
第１設定コマンドに含まれる識別情報が、照明装置１０の保有する識別情報と一致していない場合（Ｓ１４でＮＯ）、ステップＳ１２に戻り、処理部１１１は、同様の処理を行う。
【００６０】
一方、第１設定コマンドに含まれる識別情報が、通信装置１１０の保有する識別情報と一致する場合（Ｓ１４でＹＥＳ）、処理部１１１は、第１設定コマンドを受信した受信時の所定の周波数チャンネルに仮固定し、第２第１通信部１１２を仮固定の受信状態にする（Ｓ１５）。このように、ステップＳ１３でＹＥＳかつステップＳ１４でＹＥＳの場合、第２条件が成立する。なお、第２条件の成立は、少なくともステップＳ１３でＹＥＳを満たす必要があり、ステップＳ１４は省略されてもよい。照明装置１０は、周波数チャンネルの切替状態から、仮固定の受信状態になる。
【００６１】
次に、通信装置１１０の第１通信部１１２は、自機（照明装置１０）の識別情報をアクセスポイント３０に送信する（Ｓ１５ａ）。
【００６２】
次に、アクセスポイント３０は、照明装置１０から機器情報の信号を受信すると、照明装置１０のリストを作成する。具体的には、機器情報には、照明装置１０を特定する識別情報と、１以上の照明装置１０がアクセスポイント３０と異なる他のアクセスポイントとペアリングしているかどうかの有無を示す情報等の照明装置１０に関する情報が含まれる。アクセスポイント３０は、この１以上の機器情報に基づいて、照明装置１０のリストを作成する（Ｓ２１）。そして、アクセスポイント３０は、照明装置１０のリストを示す情報を通信端末２０に送信する（Ｓ２１ａ）。
【００６３】
通信端末２０は、照明装置１０のリストを示す情報を受信すると、リストを通信端末２０の操作表示部１２１に表示させる。リストには、照明装置１０を特定する識別情報、照明装置１０が他のアクセスポイントとペアリングされているかどうかの有無等が表示される。ユーザは、操作表示部１２１に表示されたリストに基づいて、アクセスポイント３０とペアリングできる照明装置１０を選択する（Ｓ３２）。
【００６４】
次に、通信装置１１０は、ユーザによって選択された１以上の照明装置１０を示す情報を含めた第２設定コマンドをアクセスポイント３０に送信する（Ｓ３２ａ）。
【００６５】
次に、アクセスポイント３０は、通信装置１１０から第２設定コマンドを受信すると、ユーザによって選択された１以上の照明装置１０に第２設定コマンドを送信する（Ｓ３２ｂ）。
【００６６】
次に、照明装置１０が第２設定コマンドを受信すると、照明装置１０の通信装置１１０は、仮固定された所定の周波数チャンネルを示す情報を記憶部１１３に記憶させる（Ｓ１６）。こうして、照明装置１０とアクセスポイント３０とが所定の周波数チャンネルに本固定される。これにより、例えば照明装置１０が停止状態となっても、照明装置１０は、記憶部１１３に記憶された所定の周波数チャンネルを示す情報を読み出すことで、ペアリングされた通信装置１１０と無線通信を行うことができる。
【００６７】
また、照明装置１０の動作についてより具体的に説明する。
【００６８】
図４は、実施の形態に係る照明装置１０の動作を例示するフロー図である。なお、上述の図３と同一のステップについては適宜その説明を省略する。
【００６９】
図４に示すように、まず、ユーザが照明装置１０の電源をＯＮにすることにより、照明装置１０は、停止状態から起動状態になり、第１条件が成立する（Ｓ１１）。
【００７０】
次に、照明装置１０では、第１条件が成立すると、周波数チャンネルの切替状態となり、複数の周波数チャンネルの中で周波数チャンネルが切り替えられ、切り替えられた周波数チャンネルで第１設定コマンドを受信する受信状態になる（Ｓ１２）。
【００７１】
次に、ステップＳ１２のように照明装置１０が周波数チャンネルの切替状態になると、通信装置１１０は、照明装置１０とアクセスポイント３０とのペアリング設定モードに移行するための第１設定コマンドを、通信端末２０から受信したかどうかを判定する（Ｓ１１２）。
【００７２】
第１設定コマンドを通信装置１１０が通信端末２０から受信していない場合（Ｓ１１２でＮＯ）、つまり、ペアリング設定モードに移行するための第１設定コマンドが通信端末２０から照明装置１０に送信されていない場合、または、ペアリング設定モードに移行するための第１設定コマンドが設定コマンドでない場合、通信装置１１０の処理部１１１は、ステップＳ１２における周波数チャンネルの切替状態となってから所定時間が経過したかどうかを判定する（Ｓ１７）。
【００７３】
ステップＳ１２における周波数チャンネルの切替状態となってから所定時間が経過していないことを処理部１１１が判定した場合（Ｓ１７でＮＯ）、ステップＳ１１２に戻り、処理部１１１は、同様の処理を行う。
【００７４】
ステップＳ１２における周波数チャンネルの切替状態となってから所定時間が経過したことを処理部１１１が判定した場合（Ｓ１７でＹＥＳ）、第１通信部１１２はアクセスポイント３０から信号を受信する受信強度の閾値を所定値だけ低下させる（Ｓ１８）。なお、このフローにより、ステップＳ１８に処理が戻った場合、第１通信部１１２がアクセスポイント３０から信号を受信する受信強度の閾値を、所定値だけさらに低下させる。このため、ステップＳ１８に処理が戻る度に、第１通信部１１２は受信強度の閾値を段階的に低下させる。そして、ステップＳ１２に戻り、処理部１１１は、同様の処理を行う。
【００７５】
また、ステップＳ１１２で第１設定コマンドを通信装置１１０が通信端末２０から受信した場合（Ｓ１１２でＹＥＳ）、つまり、照明装置１０とアクセスポイント３０とのペアリング設定モードに移行するための第１設定コマンドがアクセスポイント３０を介して通信端末２０から照明装置１０に送信された場合、通信装置１１０の処理部１１１は、第１設定コマンドに含まれる識別情報が、通信装置１１０の保有する識別情報と一致するかどうかを判定する（Ｓ１４）。
【００７６】
第１設定コマンドに含まれる識別情報が、通信装置１１０の保有する識別情報と一致していない場合（Ｓ１４でＮＯ）、ステップＳ１２に戻り、処理部１１１は、同様の処理を行う。
【００７７】
一方、第１設定コマンドに含まれる識別情報が、通信装置１１０の保有する識別情報と一致する場合（Ｓ１４でＹＥＳ）に第２条件が成立し、第２条件が成立したときに、処理部１１１は、第１設定コマンドを受信した受信時の所定の周波数チャンネルに仮固定し、第１通信部１１２を仮固定の受信状態にする（Ｓ１５）。
【００７８】
ここで、少なくともステップＳ１５において受信状態となった際には、アクセスポイント３０が所定時間毎に１以上の照明装置１０に対して信号を送信し、アクセスポイント３０と１以上の照明装置１０とが通信している状態が連続的または断続的に持続される。このアクセスポイント３０と１以上の照明装置１０とが通信している状態は、照明装置１０と通信装置１１０とがペアリング設定されるまで継続される。照明装置１０と通信装置１１０とがペアリング設定された場合、アクセスポイント３０とペアリング設定されなかった照明装置１０との通信は途絶える。ペアリング設定されなかった照明装置１０は、再び周波数チャンネルの切替状態となる。
【００７９】
次に、通信装置１１０の処理部１１１は、アクセスポイント３０から信号を受信しなくなってから、つまりアクセスポイント３０と通信しているかどうかを判定するために、アクセスポイント３０との通信が途絶えてから規定時間が経過する前に第２設定コマンドを受信したかどうかを判定する（Ｓ１１５）。
【００８０】
通信装置１１０とアクセスポイント３０との通信が途絶えてから規定時間が経過した場合（Ｓ１１５でＮＯ）は、他の照明装置と他のアクセスポイントとがペアリング設置されたことを意味する、つまり通信装置１１０を搭載した照明装置１０とアクセスポイント３０とがペアリング設置されないことを意味する。このため、ステップＳ１２に戻り、処理部１１１は、同様の処理を行う。
【００８１】
一方、通信装置１１０とアクセスポイント３０との通信が途絶えてから規定時間が経過する前に第２設定コマンドを受信した場合（Ｓ１１５でＹＥＳ）、照明装置１０とアクセスポイント３０とがペアリング設置されたことを意味する。
【００８２】
そして、通信装置１１０は、受信状態として一時的に固定された所定の周波数チャンネルを示す情報を記憶部１１３に記憶させる（Ｓ１６）。こうして、照明装置１０とアクセスポイント３０とがペアリング設定され、設備システム１はこのフローの処理を終了する。
【００８３】
これにより、例えば照明装置１０の電源がＯＦＦとなる停止状態になっても、照明装置１０は、記憶部１１３に記憶された所定の周波数チャンネルを示す情報を読み出すことで、ペアリングされた通信装置１１０と無線通信を行うことができる。
【００８４】
［作用効果］
次に、本実施の形態における通信装置１１０、通信システム、照明装置１０、設備システム１、通信方法、および、プログラムの作用効果について説明する。
【００８５】
上述したように、本実施の形態に係る通信装置１１０は、第１通信部１１２を備え、設備機器（例えば、発光モジュール１０１、照明制御部１０２、および、電源部１０３である）に用いられる。また、第１通信部１１２は、第１条件が成立したとき、所定の周波数内における複数の周波数チャンネルの中で、第１設定コマンドを受信する周波数チャンネルを所定時間毎に切り替え、切り替えられた周波数チャンネルで第１信号を受信する受信状態となり、第２条件が成立したとき、複数の周波数チャンネルの中で切り替えられる周波数チャンネルを所定の周波数チャンネルに固定（例えば、仮固定または本固定である）し、固定した所定の周波数チャンネルで信号を受信する受信状態になる。
【００８６】
これによれば、通信装置１１０と異なる他の機器（例えば上述の照明装置１０以外の照明装置、エアコン、他のアクセスポイント等）が存在することで無線通信環境が良好でなくても、第１通信部１１２は複数の周波数チャンネルの中で受信する信号の周波数チャンネルを所定時間毎に切り替えるため、他の機器が使用していない周波数チャンネルを探し出すことで、他の機器が使用していない所定の周波数チャンネルを使用することができる。
【００８７】
したがって、通信装置１１０によれば、照明装置１０とアクセスポイント３０との通信設定（例えばペアリング設定）を簡易に行うことができる。
【００８８】
また、本実施の形態に係る通信システムは、通信装置１１０と、通信装置１１０と通信する通信端末２０とを備える。
【００８９】
また、本実施の形態に係る照明装置１０は、通信装置１１０と、設備機器とを備える。
【００９０】
また、本実施の形態に係る設備システム１は、照明装置１０と、通信装置１１０と通信する通信端末２０とを備える。
【００９１】
また、本実施の形態に係る通信方法は、第１条件が成立したとき、所定の周波数内における複数の周波数チャンネルの中で、第１設定コマンドを受信する周波数チャンネルを所定時間毎に切り替え、切り替えられた周波数チャンネルで第１信号を受信する受信状態になることと、第２条件が成立したとき、複数の周波数チャンネルの中で切り替えられる周波数チャンネルを所定の周波数チャンネルに固定し、固定した所定の周波数チャンネルで第２設定コマンドを受信する受信状態になることとを含む。
【００９２】
また、本実施の形態に係るプログラムは、通信方法をコンピュータに実行させる。
【００９３】
これらの場合においても上述と同様の作用効果を奏する。
【００９４】
また、本実施の形態に係る通信装置１１０において、第１条件は、停止状態の通信装置１１０が起動状態になることを含む。
【００９５】
これによれば、通信装置１１０の起動時に受信する信号の周波数チャンネルを所定時間毎に切り替えるため、通信装置１１０では、他の機器が使用していない所定の周波数チャンネルをすぐに探すことができる。
【００９６】
また、本実施の形態に係る通信装置１１０において、第１条件は、通信装置１１０と機器（例えば、アクセスポイント３０）との通信が途絶えてから規定時間の経過、および、第２条件の成立後に停止した通信装置１１０が起動状態になることの少なくとも一方を含む。
【００９７】
これによれば、通信装置１１０とアクセスポイント３０との通信が途絶えてから規定時間の経過する場合、当該通信装置１１０を搭載した照明装置１０とアクセスポイント３０とがペアリング設定を行わないと考えられるため、周波数チャンネルの切替状態に戻す。また、第１条件の成立後に通信装置１１０の電源がＯＦＦになって通信装置１１０が停止状態になっても、通信装置１１０が再び起動状態となれば、周波数チャンネルの切替状態に戻す。これらのように、照明装置１０を再び、周波数チャンネルの切替状態に戻すことで、再びペアリング設定モードへの移行に戻すことができる。
【００９８】
また、本実施の形態に係る通信装置１１０において、第２条件は、複数の周波数チャンネルのうちの周波数チャンネルの第２設定コマンドを受信し、受信した第２設定コマンドの周波数チャンネルを所定の周波数チャンネルとして固定することを含む。
【００９９】
これによれば、通信装置１１０は、複数の周波数チャンネルの中で周波数チャンネルが切り替えられ、切り替えられた周波数チャンネルで信号を受信すると、受信した所定の周波数チャンネルに固定する。このため、通信装置１１０は、固定された周波数チャンネルで信号を受信することができるため、無線通信を行いたいアクセスポイント３０とより確実に通信を行うことができる。
【０１００】
また、本実施の形態に係る通信装置１１０において、第２条件は、第１設定コマンドに所定の識別情報を有することを含む。
【０１０１】
これによれば、信号に所定の識別情報が含まれていない場合、通信装置１１０と異なる他の機器が使用している信号であると言えるため、通信装置１１０は、他の機器が使用している信号によってアクセスポイント３０とペアリング設定を行えないという不具合を抑制することができる。このため、通信装置１１０は、無線通信を行いたい装置とより確実に通信を行うことができる。
【０１０２】
また、本実施の形態に係る通信装置１１０は、第２条件が成立する前に、一定時間毎、および、複数の周波数チャンネルの中で受信する第１設定コマンドの周波数チャンネルを切り替える切替周期毎の少なくとも一方で、第１設定コマンドを受信する際の第１通信部１１２の受信強度の閾値を低下させる。
【０１０３】
例えば、通信装置１１０の受信強度の閾値が大きいと、所望のアクセスポイント３０からの信号を受信しなくなることがある。そこで、通信装置１１０は、一定時間毎または周波数チャンネルを切り替える切替周期毎に、第１通信部１１２の受信強度の閾値を低下させることで、近くのアクセスポイント３０からの信号を受信し、遠く離れた他のアクセスポイントから信号を受信してしまうことを抑制することができる。このため、通信装置１１０は、所望のアクセスポイント３０と通信することができる。これにより、例えば同一の施設内において、複数個所で同時にペアリング設定を行うことができる。
【０１０４】
また、本実施の形態に係る通信装置１１０は、さらに、不揮発性の記憶部１１３を備える。そして、記憶部１１３は、受信状態に設定した所定の周波数チャンネルを示す情報を記憶する。
【０１０５】
これによれば、記憶部１１３に所定の周波数チャンネルを示す情報が記憶されるため、通信装置１１０の電源がＯＦＦになっても、所定の周波数チャンネルを示す情報が記憶部１１３に保存される。このため、通信装置１１０の電源がＯＦＦにした後に電源をＯＮにしても、通信装置１１０とアクセスポイント３０とが所定の周波数チャンネルによって通信を行うことができるため、通信装置１１０の電源がＯＦＦにした後に再度、ペアリング設定を行うといったことをしなくてもよい。
【０１０６】
（実施の形態の変形例）
本変形例における他の構成は、特に明記しない場合は、実施の形態と同様であり、同一の構成については同一の符号を付して構成に関する詳細な説明を省略する。
【０１０７】
本変形例において、複数の周波数チャンネルには、第１周波数チャンネルグループと第２周波数チャンネルグループとが設定される。第１周波数チャンネルグループは、所定の周波数内における複数の周波数チャンネルの並び順のうち、１以上の周波数チャンネルで構成される。第２周波数チャンネルグループは、第１周波数チャンネルグループを構成する周波数チャンネル以外の周波数チャンネルであり、１以上の周波数チャンネルで構成される。例えば、９２０ＭＨｚ帯で設定された１ｃｈから１０ｃｈまでの周波数チャンネルの中で、奇数チャンネルを第１周波数チャンネルグループに設定し、偶数チャンネルを第２周波数チャンネルグループに設定する。
【０１０８】
なお、第１周波数チャンネルグループおよび第２周波数チャンネルグループは、所定の周波数内における複数の周波数チャンネルの並び順のうち、互いに隣接しない１以上の周波数チャンネルで構成されてもよい。この場合、第１周波数チャンネルグループの中で、または、第２周波数チャンネルグループ内で、周波数チャンネルを所定時間毎に切り替え、切り替えられた周波数チャンネルで信号を受信する受信状態となる場合、これらグループの中における互いの周波数チャンネルが干渉し難く、ノイズ等を抑制することができる。
【０１０９】
第１通信部１１２は、停止した通信装置１１０の起動、つまり、通信装置１１０の電源がＯＦＦとなっている停止状態から通信装置１１０の電源がＯＮになる起動状態になるとき、第１周波数チャンネルグループで信号（第１設定コマンド及び第２設定コマンド等）を受信する。
【０１１０】
また、第１通信部１１２は、第３条件が成立したとき、図４で示すステップＳ１２において、第１周波数チャンネルグループから第２周波数チャンネルグループに切り替えて信号を受信する受信状態になる。または、第１通信部１１２は、第１周波数チャンネルグループおよび第２周波数チャンネルグループで信号を受信する受信状態になる。ここで、第３条件は、例えば第１周波数チャンネルグループの中で第１設定コマンドを受信する周波数チャンネルを所定時間毎に切り替える動作を行い、第１周波数チャンネルグループの中で所定の周波数チャンネルに一時的に固定されない場合を含む。
【０１１１】
なお、第１周波数チャンネルグループから第２周波数チャンネルグループへの切り替えは、通信端末２０をユーザが操作することで行われてもよい。このため、ユーザによる通信端末２０の操作によって、第１周波数チャンネルグループおよび第２周波数チャンネルグループで信号を受信する受信状態としてもよい。
【０１１２】
このように、本変形例に係る通信装置１１０において、複数の周波数チャンネルには、所定の周波数内における複数の周波数チャンネルの並び順のうち、１以上の周波数チャンネルで構成された第１周波数チャンネルグループと、第１周波数チャンネルグループを構成する周波数チャンネル以外の周波数チャンネルであり、１以上の周波数チャンネルで構成される第２周波数チャンネルグループとが設定される。そして、第１通信部１１２は、第１条件が成立したとき、第１周波数チャンネルグループの中で周波数チャンネルを所定時間毎に切り替え、切り替えられた周波数チャンネルで第１設定コマンドを受信する受信状態となり、第３条件が成立したとき、第１周波数チャンネルグループから第２周波数チャンネルグループに切り替えて第１設定コマンドを受信する、または、第１周波数チャンネルグループおよび第２周波数チャンネルグループの第１設定コマンドを受信する受信状態になる。
【０１１３】
第１周波数チャンネルグループに含まれる複数の周波数チャンネルの中で切り替えられる周波数チャンネルを、所定の周波数チャンネルとして固定できない場合がある。この場合でも、通信装置１１０は、第１周波数チャンネルグループから第２周波数チャンネルグループに切り替え、第２周波数チャンネルグループを構成する１以上の周波数チャンネルで仮固定することができるかどうか（第２条件が成立するかどうか）を試みることができる。このため、単に第１周波数チャンネルグループを使う場合よりも、通信装置１１０は、無線通信を行いたいアクセスポイント３０とより確実に通信を行うことができる。
【０１１４】
本変形例においても上述と同様の作用効果を奏する。
【０１１５】
（その他変形例）
以上、本開示について、実施の形態および実施の形態の変形例に基づいて説明したが、本開示は、上記通信装置、通信システム、通信設備装置、設備システム、通信方法、および、プログラムに限定されるものではない。
【０１１６】
例えば、上記各実施の形態および実施の形態の変形例に係る通信装置１１０、通信システム、通信設備装置（例えば、照明装置１０）、設備システム１、通信方法、および、プログラムにおいて、図５に示すように、照明装置１０は、さらに、第２通信部１０４を有していてもよい。図５は、変形例に係る設備システム１を例示する模式図である。通信装置１１０は、第２通信部１０４を備えていてもよく、第２通信部１０４を備えていなくてもよい。第２通信部１０４は、アンテナ等の無線モジュールにより構成されてもよい。第２通信部１０４は、アクセスポイント３０または通信端末２０と通信可能であり、第１設定コマンド、第２設定コマンド等を受信したり、機器情報をアクセスポイント３０に送信したりしてもよい。第１通信部１１２とアクセスポイント３０とは光無線通信以外の無線通信を行ってもよく、アクセスポイント３０と通信端末２０とが赤外線通信してもよい。
【０１１７】
このように、本実施の形態に係る通信装置１１０において、第２条件は、第１通信部１１２と異なる第２通信部１０４により、複数の周波数チャンネルのうちの所定の周波数チャンネルに固定するための第２設定コマンドを受信することを含む。
【０１１８】
これによれば、通信装置１１０の第１通信部１１２と異なる第２通信部１０４が第２設定コマンドを受信することで、通信装置１１０と異なる他の機器と混信してしまうことを抑制することができる。特に、第２通信部１０４は、赤外通信により通信装置１１０と通信することが好適である。
【０１１９】
また、上記各実施の形態および実施の形態の変形例に係る通信装置１１０、通信システム、通信設備装置（例えば、照明装置１０）、設備システム１、通信方法、および、プログラムにおいて、図３に示すように、ステップＳ３１ａおよびステップＳ３１ｂにおいて、それぞれ第１設定コマンドが送信されているがこれには限定されない。例えば、ステップＳ３１ａでは、照明装置１０とアクセスポイント３０とがペアリング設定するための設定コマンド（識別情報を含んでいないコマンド）を、通信端末２０がアクセスポイント３０に送信すると、これを受信したアクセスポイント３０は、設定コマンドに識別情報を付加した同期設定コマンドを生成し、生成した同期設定コマンドを一定周期のタイミングで照明装置１０に送信してもよい。つまり、ステップＳ３１ａおよびステップＳ３１ｂにおいて、同一の設定コマンドが送信されるとは限らない。
【０１２０】
また、集積回路化はＬＳＩに限るものではなく、専用回路または汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、またはＬＳＩ内部の回路セルの接続や設定を再構成可能なリコンフィギュラブル・プロセッサを利用してもよい。
【０１２１】
なお、上記各実施の形態および実施の形態の変形例において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１２２】
また、上記で用いた数字は、全て本開示を具体的に説明するために例示するものであり、本開示の実施の形態および実施の形態の変形例は例示された数字に制限されない。
【０１２３】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェアまたはソフトウェアが並列または時分割に処理してもよい。
【０１２４】
また、フロー図における各ステップが実行される順序は、本開示を具体的に説明するために例示するためであり、上記以外の順序であってもよい。また、上記ステップの一部が、他のステップと同時（並列）に実行されてもよい。
【０１２５】
その他、実施の形態および実施の形態の変形例に対して当業者が思いつく各種変形を施して得られる形態、本開示の趣旨を逸脱しない範囲で実施の形態および実施の形態の変形例における構成要素および機能を任意に組み合わせることで実現される形態も本開示に含まれる。
【符号の説明】
【０１２６】
１  設備システム
１０  照明装置（通信設備装置）
２０  通信端末
３０  アクセスポイント（機器）
１０４  第２通信部
１１０  通信装置
１１２  第１通信部
１１３  記憶部
１０１  発光モジュール（設備機器）
１０２  照明制御部（設備機器）
１０３  電源部（設備機器）
【図１】
2020078015.tif 000003
【図２】
2020078015.tif 000004
【図３】
2020078015.tif 000005
【図４】
2020078015.tif 000006
【図５】
2020078015.tif 000007